(57)【要約】  装置（１）は、この装置に結合されるトランスデューサ（２）の出力が基準トランスデューサの出力に等価なものとなるようにオーディオ信号（ｘ）の振幅を調整するように構成される。この装置は、オーディオ信号（ｘ）に応じて基準信号（ｙ）を生成する第１のシミュレーションユニット（１１）と、オーディオ信号（ｘ）に応じて他の信号（ｚ）を生成する第２のシミュレーションユニット（１２）と、基準信号（ｙ）と他の信号（ｚ）を比較して調整ユニット（１０）に供給される調整信号（ａ）を生成する比較手段（５）とを有する。第１のシミュレーションユニット（１１）は、基準トランスデューサの応答をシミュレーションし、第２のシミュレーションユニット（１２）は、オーディオ信号（ｘ）に対する実際のトランスデューサ（２）の応答をシミュレーションする。
2008507934.tif 000002
【特許請求の範囲】
【請求項１】
トランスデューサの特性に応じてオーディオ信号の振幅を調整する装置であって、前記トランスデューサの出力パワーが基準トランスデューサの出力パワーと等価なものとなるように前記オーディオ信号の振幅を調整する等価出力調整手段を有する装置。
【請求項２】
請求項１に記載の装置であって、前記等価出力調整手段は、
・前記オーディオ信号に応じて、基準トランスデューサの出力を示す第１の信号を生成する第１のシミュレーション手段と、
・前記オーディオ信号に応じて、実際のトランスデューサの出力を示す第２の信号を生成する第２のシミュレーション手段と、
・前記第１の信号と前記第２の信号を比較し調整信号を生成する比較手段と、
・前記調整信号に応じて前記オーディオ信号の振幅を調整する調整手段と、
を有する、装置。
【請求項３】
請求項２に記載の装置であって、前記第１のシミュレーション手段及び前記第２のシミュレーション手段は、各々がそれぞれのトランスデューサのモデルを含む、装置。
【請求項４】
請求項３に記載の装置であって、前記モデルは、フィルタのパラメータにより規定される、装置。
【請求項５】
請求項４に記載の装置であって、前記パラメータは、２つのトランスデューサの音声出力を比較することにより実験的に判定される、装置。
【請求項６】
請求項２に記載の装置であって、前記第１のシミュレーション手段及び前記第２のシミュレーション手段は、各々が前記オーディオ信号を知覚的に重み付けする加重手段を有する、装置。
【請求項７】
請求項２に記載の装置であって、前記比較手段は、前記第１の信号及び前記第２の信号のエネルギをそれぞれ判定するための第１及び第２の信号振幅判定手段を有する、装置。
【請求項８】
請求項７に記載の装置であって、前記比較手段は、前記第１の信号と前記第２の信号の振幅の比を判定しその比に応じて前記調整信号を生成する振幅比判定手段を有する、装置。
【請求項９】
請求項２に記載の装置であって、前記調整手段は、被制御型増幅器を有する、装置。
【請求項１０】
請求項１ないし９のうちいずれか１つに記載の装置を有するオーディオシステム。
【請求項１１】
請求項１０に記載のオーディオシステムであって、前記装置に供給される前に前記オーディオ信号をフィルタ処理する第１のフィルタユニットと、前記第１のフィルタユニットに並列に構成される第２のフィルタユニットと、前記装置及び前記第２のフィルタユニットの出力信号を合成する合成ユニットとをさらに有するシステム。
【請求項１２】
請求項１０に記載のオーディオシステムであって、ホームシネマシステム又は車載音声システムとされたシステム。
【請求項１３】
請求項１０に記載のオーディオシステムを有するテレビセット。
【請求項１４】
トランスデューサの特性に応じてオーディオ信号の振幅を調整する方法であって、前記トランスデューサの出力パワーが基準トランスデューサの出力パワーと等価になるように前記オーディオ信号の振幅を調整するステップを有する方法。
【請求項１５】
請求項１４に記載の方法であって、
・前記オーディオ信号に応じて基準トランスデューサの出力を示す基準信号を生成するステップと、
・前記オーディオ信号に応じて当該実際のトランスデューサの出力を示す他の信号を生成するステップと、
・前記基準信号と前記他の信号を比較し調整信号を生成するステップと、
・前記調整信号に応じて前記オーディオ信号の振幅を調整するステップと、
をさらに有する方法。
【請求項１６】
請求項１５に記載の方法であって、前記基準信号及び前記他の信号は、トランスデューサモデルに応じて判定される、方法。
【請求項１７】
請求項１５に記載の方法であって、前記比較するステップは、前記基準信号及び前記他の信号の双方の振幅を生成すること及び前記調整信号を生成するようにこれら振幅の比を判定することを含む、方法。
【請求項１８】
請求項１５に記載の方法であって、前記オーディオ信号に知覚的に重み付けするステップをさらに有する方法。
【請求項１９】
請求項１５に記載の方法であって、前記オーディオ信号をフィルタ処理する前置ステップをさらに有する方法。
【請求項２０】
請求項１４ないし１９のうちいずれか１つに記載の方法を実行するためのコンピュータプログラム製品。
【発明の詳細な説明】
【技術分野】
【０００１】
本発明は、音声強調に関する。特に、本発明は、音声を生成するために用いられるトランスデューサの特性に応じてオーディオ信号を増強することに関する。
【背景技術】
【０００２】
異なる音声トランスデューサが同じ音声信号を極めて異なるようにして再生することがあることはよく知られている。（電磁気的又は静電気的）拡声スピーカのような多くのトランスデューサは、或る特定の周波数帯域において他の周波数帯域よりも効果的なものとなっている。或る振幅又はエネルギを有する電気的入力信号は、これに応じて特に或る周波数範囲において異なる振幅の音響出力信号を生成することになる。入力信号が限定された周波数範囲を有する場合、出力信号は、用いられる特定のトランスデューサに強く依存する場合がある。
【０００３】
最近、極めて狭い周波数帯域において特に効果的なトランスデューサが開発されている。この周波数帯域内で、これらトランスデューサは、それらの（１つ又は複数の）共振周波数又はその近くにおいて動作し、これにより、大なる（音響）出力信号を生成するのに比較的小さな（電気的）入力信号で済ましている。このようなトランスデューサの一例が、欧州特許出願第ＥＰ０３１０３３９６．２（ＰＨＮＬ０３１１３５）に記述されている。他の例は、いわゆる「シェーカー」を含んでおり、これはテーブル面のような他のオブジェクトを共振させるように構成されているものである。
【０００４】
このような「共振トランスデューサ」はそれらの共振周波数又はその近傍において動作するときに通常のトランスデューサよりも非常に効果的であるのに対し、他の周波数では非常に非効率なものとなっている。すなわち、これらの共振周波数又はその近傍においては、これら共振トランスデューサは、普通のトランスデューサにより生成されるものよりも大なる振幅を有する音声信号を生成するのに対して、他の周波数においては、（非常に）小さい振幅を有する音声信号を生成する。本発明者は、この違いが望ましくない効果を招きうることに気づいたものである。
【０００５】
共振トランスデューサが例えば５０Ｈｚで動作するように構成され特定の曲が５０Ｈｚ前後の重低音を相当に有する場合、この低音は、比較的大音量で表現されることになる。次の曲が低音量の少ないもので８０Ｈｚ前後に中心がある場合には、この低音は、同じトランスデューサにより再生されるときにはあまり聞こえない。このことは、低音再生だけでなく、他の周波数の再生に対しても望ましくないことは明らかである。
【発明の開示】
【発明が解決しようとする課題】
【０００６】
したがって本発明の目的は、従来技術のこれらの問題及びその他の問題を克服することであり、トランスデューサの特性に応じてオーディオ信号の振幅を調整する装置及び方法を提供することである。
【課題を解決するための手段】
【０００７】
よって本発明は、トランスデューサの特性に応じてオーディオ信号の振幅を調整する装置であって、前記トランスデューサの出力パワーが基準トランスデューサの出力パワーと等価なものとなるように前記オーディオ信号の振幅を調整する手段を有する装置を提供する。すなわち、本発明の装置は、或る特性を有するトランスデューサを用いて、基準特性を有する基準トランスデューサを用いて生成された音声信号の音量に等価な音量（すなわち、知覚されるパワー）を有する音声信号を生成するように構成される。この等価な音量は、「スケーリング」とも呼ばれる音声レベルをダイナミックに調整することにより達成される。
【０００８】
ここで用いられる「等価な音量」なる用語は、物理的に同一の（又は略同一の）音圧レベルと知覚的に同一の（又は略同一の）音圧レベルとの双方を有することを意味する。音声信号は、物理的に（少し）異なっていても同じものと知覚されうることはよく知られている。
【０００９】
好適実施例において、前記等価オーディオ出力調整手段は、
・前記オーディオ信号に応じて、基準トランスデューサの出力を示す第１の信号を生成する第１のシミュレーション手段と、
・前記オーディオ信号に応じて、実際のトランスデューサの出力を示す第２の信号を生成する第２のシミュレーション手段と、
・前記第１の信号と前記第２の信号を比較し調整信号を生成する比較手段と、
・前記調整信号に応じて前記オーディオ信号の振幅を調整する調整手段と、
を有する。
【００１０】
第１のシミュレーション手段は、オーディオ信号により励起されたときに基準トランスデューサの出力を示す第１の信号を生成する。この第１の信号は、「通常の」トランスデューサの出力を示すものであり、基準信号として用いられる。第２のシミュレーション手段は、同じオーディオ信号により励起されたときに実際のトランスデューサの出力を示す第２の信号を生成する。この第２の信号は、実際の（代表的には帯域制限された）トランスデューサの出力を示すものであり、当該第１の（基準）信号と比較され、基準トランスデューサ及び実際のトランスデューサの出力信号がどの程度ずれているかを判定するものである。代表例としては、当該基準トランスデューサは、所望の特性、例えば広い周波数範囲にわたり略平坦な出力を呈する。
【００１１】
第１の（基準）信号と第２の（実際の）信号の比較によって、所定の周波数範囲内又は所定の周波数において、オーディオ信号があたかも基準トランスデューサにより再生されたかのようにほぼ同じ音声レベルで当該（実際の）トランスデューサによりオーディオ信号が再生されるように当該オーディオ信号の振幅を調整するために用いられる調整信号が生成される。
【００１２】
シミュレーション手段は、数理的又はハードウェアのモデルのトランスデューサを有し、トランスデューサの信号応答特性をシミュレーションするフィルタを含み、当該フィルタパラメータが当該モデルを規定するものとすることができる。これらフィルタは、ハードウェア及び／又はソフトウェアにおいて実現されるディジタルフィルタとすることができる。幾つかのトランスデューサは、例えば高域通過フィルタにより好適にモデル化することができる。
【００１３】
当該パラメータは、基準トランスデューサの出力パワーがテストトランスデューサの出力パワーと比較されることができ、両トランスデューサが同じオーディオ信号を受信するものとした実験的設定により定めることができる。それぞれの測定された出力パワーは、モデル（フィルタ）パラメータを判定するために用いられる。
【００１４】
なお、本発明は、トランスデューサの周波数特性を変えない。その代わり、オーディオ信号の増幅（又は減衰）を当該周波数特性に応じて調整するものである。
【００１５】
特に効果的な実施例において、第１のシミュレーション手段及び第２のシミュレーション手段は、各々が知覚的にオーディオ信号に重み付けするための加重手段を有する。かかる加重手段は、周知のＡ特性周波数重み付け（A-weighting）処理を行いうるものであり、心理学的な音響モデルを用いて人間の知覚にオーディオ信号を適応させる。このようにして、人の耳に良好に適応した調整を行うことができる。
【００１６】
好適な実施例において、当該比較手段は、第１の信号及び第２の信号の振幅をそれぞれ判定するための第１及び第２の信号振幅判定手段を有する。かかる振幅は、当該信号のＲＭＳ（二乗平均）値を計算することによって判定可能であり、この値は信号のエネルギ内容についての周知の測定値である。なお、この状況において、信号振幅の判定及び信号エネルギの判定は技術的に等価であるものと理解されたい。
【００１７】
比較手段は、有利な形態として、第１の信号と第２の信号の振幅の比を判定しこの比に応じて調整信号を生成するための振幅比判定手段を有することができる。或いは、当該信号のエネルギが利用可能であれば、エネルギ比判定手段を用いるようにしてもよい。このようなエネルギ比判定手段は、好ましくは当該分母のエネルギ値が非常に小さい場合に不適正な結果を回避するために最大値（「上限」）を利用するのがよい。
【００１８】
好適実施例において、当該調整手段は、被制御増幅器を有する。これにより、簡単なオーディオ信号レベル制御が可能となる。但し、他の調整手段も使用可能であり、例えば電圧被制御抵抗器を用いることができる。
【００１９】
本発明はさらに、上に規定したような装置を有するオーディオシステムを提供する。本発明のオーディオシステムは、当該装置に供給される前に当該オーディオ信号をフィルタ処理する第１のフィルタユニットと、当該第１のフィルタユニットに並列に構成された第２のフィルタユニットと、当該装置及び第２のフィルタユニットの出力信号を足し合わせる合成ユニットとを有するようにしてもよい。このオーディオシステムは、さらに増幅器その他の構成要素を有するようにしてもよく、好適なのはホームシネマシステム又は車載音声システムとするものである。本発明のオーディオシステムは、テレビセットにおいても効果的に用いられることができる。
【００２０】
本発明は、その他にも、トランスデューサの特性に応じてオーディオ信号の振幅を調整する方法を提供し、この方法は、当該トランスデューサの出力パワーが基準トランスデューサの出力パワーと等価なものとなるように当該オーディオ信号の振幅を調整するステップを有する。
【００２１】
好適実施例において、本発明の方法は、
・前記オーディオ信号に応じて基準トランスデューサの出力を示す基準信号を生成するステップと、
・前記オーディオ信号に応じて当該実際のトランスデューサの出力を示す他の信号を生成するステップと、
・前記基準信号と前記他の信号を比較し調整信号を生成するステップと、
・前記調整信号に応じて前記オーディオ信号の振幅を調整するステップと、
をさらに有する。
【００２２】
この基準信号及び他の信号は、トランスデューサモデル、すなわちトランスデューサの特性をシミュレートするモデルに応じて判定可能である。本発明の方法はさらに、好ましくはＡ特性周波数重み付けを用いてオーディオ信号を知覚的に重み付けするステップを有するようしてもよい。
【００２３】
本発明はまた、上記方法を実行するためのコンピュータプログラム製品も提供する。このコンピュータプログラム製品は、コンピュータプログラムが電子的又は光学的な形態で記憶されるＣＤ，ＤＶＤ又はフロッピーディスクなどの担体を有するようにしてもよい。コンピュータプログラムは、汎用のコンピュータ又は特定用途向けコンピュータにより実行されるべき方法ステップを規定する。
【００２４】
以下、添付図面に示される模範的実施例に基づいて本発明を詳しく説明する。
【発明を実施するための最良の形態】
【００２５】
図１に単に非限定の例により示される装置１の実施例は、第１のシミュレーションユニット１１と、第２のシミュレーションユニット１２と、第１の信号パワー判定ユニット１３と、第２の信号パワー判定ユニット１４と、信号比判定ユニット１５と、可変増幅器１０とを有する。装置１は、トランスデューサ２に結合される。
【００２６】
装置１は、ＣＤプレーヤ、ＤＶＤプレーヤ、ＭＰ３プレーヤ、ホームシネマシステム又はコンピュータなどの適切な信号源から（電気的）オーディオ信号ｘを受信する。
【００２７】
オーディオ信号ｘは、増幅器１０と第１及び第２のシミュレーションユニット１１及び１２との双方に供給される。シミュレーションユニット１１，１２の各々は、オーディオ信号ｘに対するトランスデューサ（又はトランスデューサの組）の応答をシミュレートすることができるものである。このため、シミュレーションユニット１１，１２は、適切なフィルタを有し、そのそれぞれの応答特性は、それぞれ基準トランスデューサ（図示せず）及び実際のトランスデューサ２の応答特性に対応している。このようなフィルタは、好ましくは、ハードウェア及び／又はソフトウェアにより実現されるディジタルフィルタとするのがよい。なお、ディジタルフィルタを使用すると、当該技術においてはよく知られているＡ／Ｄ（アナログ／ディジタル）及びＤ／Ａ（ディジタル／アナログ）変換器が必要となる。
【００２８】
シミュレーションユニット１１及び１２は、基準トランスデューサ及び実際のトランスデューサの振る舞いをモデル化するものと言うことができる。これらのモデルＭ１及びＭ２のパラメータは、フィルタパラメータによって規定することができる。シミュレーションユニットは、トランスデューサの数理的又はハードウェアのモデルを有し、トランスデューサの信号応答特性をシミュレートするフィルタを含みうる。
【００２９】
シミュレーションユニット１１及び１２に組み込まれているモデルのパラメータは、基準トランスデューサの音声出力及び同じオーディオ信号により代替え的に励起される他のトランスデューサの音声出力を測定することにより実験的に判定可能である。当該２つのトランスデューサの測定された出力パワーは、本発明により出力パワーをモデル化するために必要なフィルタパラメータを判定するために用いられる。出力パワーのこの比較は、実質的に単一の周波数又は狭い周波数帯域の信号について行われるのが好ましい。
【００３０】
オーディオ信号ｘに応答して、シミュレーションユニット１１及び１２は、基準トランスデューサ及び実際のトランスデューサ２のシミュレートされた音声出力をそれぞれ示す信号ｙ及びｚを生成する。これら信号ｙ及びｚは、図示の実施例では、信号振幅判定ユニット１３及び１４に送られ、ここで信号ｙ及びｚの振幅がそれぞれ判定される。図示の好適な実施例では、ユニット１３及び１４は、それぞれの信号のＲＭＳ（二乗平均）値を判定する。当業者であれば、ＲＭＳ値が信号の振幅及びエネルギの適切な測定値であり、当該信号の絶対値のような他の振幅測定及びエネルギ測定が代替えで用いられてもよいことが分かる。
【００３１】
各振幅（又はエネルギ）内容判定ユニット１３，１４は、信号ｙ及びｚに応答してそれぞれ振幅（又はエネルギ）信号Ｐ１，Ｐ２を生成する。振幅信号Ｐ１，Ｐ２は、比判定ユニット１５に供給され、当該ユニットは、これら信号の比、したがって信号ｙ及びｚのそれぞれの振幅（又はエネルギ内容）の比を判定する。この態様において、トランスデューサ２により生成される音声は、基準トランスデューサにより生成されるときに比べて大音量又は小音量とされるかどうかを判定することができる。当該音声が大音量とされる場合、比ユニット１５により生成された調整信号は被制御増幅器１０の増幅を減少させ、小さな振幅のオーディオ出力信号ｘ´とすることになる。当該音声が小音量とされる場合、増幅器１０の増幅は増大させられる。この点については図２を参照して詳しく説明する。なお、本発明の装置は、当該増幅を調整するため、予測された音声出力を用いるものであり、測定された音声出力を用いるものではない。
【００３２】
図２には、２つのトランスデューサ特性Ｉ及びＩＩが示される。これら特性は、周波数ｆの関数として応答性Ｍ（の大きさ）を示している。第１の曲線Ｉは、基準トランスデューサの正規化特性を示し、第２の曲線ＩＩは、共振トランスデューサの特性を示している。
【００３３】
これから分かるように、第２曲線ＩＩの共振トランスデューサは、本例では、共振周波数ｆＲ＝５０Ｈｚでピークを有する。共振周波数ｆＲでは、共振トランスデューサの効率は非常に高く、実際には基準周波数の効率より高い。結果として、概ね５０Ｈｚのオーディオ信号成分は、普通の基準トランスデューサ（曲線Ｉ）により再生された場合よりも共振トランスデューサ（曲線ＩＩ）により再生された場合に大音量で音響出力することになる。逆に、概して１００Ｈｚのオーディオ信号成分は、普通の基準トランスデューサ（曲線Ｉ）により再生された場合よりも共振トランスデューサ（曲線ＩＩ）により再生された場合に小音量で音響出力することになる。
【００３４】
本発明は、（この特定のトランスデューサについては）５０Ｈｚにおいて音声レベルを減少させ例えば４０及び８０Ｈｚにおいては出力音声レベルを増大させることにより、この（測定又は知覚される）出力音声レベルの差を補正する。この態様において、共振トランスデューサにより出力される（測定又は知覚される）音声レベルは、増幅を調整することにより、普通のトランスデューサにより生成される音声レベルに概ね等しくされる。なお、この調整は、単一の周波数について最適なものとすることができ、通常は周波数帯域についてほぼ最適なものとされることになる。また、比較的狭い周波数帯域に対しては、良好な調整が達成可能である。さらに注記するに、本発明は、当該特性自体を変えようとするものではなく、単に当該特性に応じて増幅を調整するものである。
【００３５】
より良い精度を得るため、オーディオ入力信号ｘは、本例では例えば３０〜８０Ｈｚ又は４０〜６０Ｈｚの限定された周波数帯域を有するのが好ましい。したがってオーディオ信号ｘは、例えば５０Ｈｚ前後で中心付けされた比較的狭い通過帯域を有するバンドパスフィルタの出力信号とすることができる。
【００３６】
なお、オーディオ入力信号ｘ及び対応のオーディオ出力信号ｘ´，ｙ，ｚ，Ｐ１及びＰ２は時間の関数である。したがって、信号ｘは、当該信号がアナログである場合にはｘ＝ｘ（ｔ）と、当該信号がディジタルである場合にはｘ＝ｘ（ｉ）と書くことができる。但し、便宜上、ｘ（ｔ）ではなくｘという表記を用いている。
【００３７】
また、図１の装置は、増幅器１０とトランスデューサ２との間に配される他の増幅器（図示せず）を有してもよい。この装置はまた、前置増幅器（図示せず）を有してもよい。これに加え、トランスデューサ２は、複数のトランスデューサによるセットに置き換えることも可能である。各トランスデューサは、拡声スピーカ、いわゆる「シェーカ」又は電気的信号を音声に変換することのできるその他のトランスデューサにより構成可能である。
【００３８】
図３には、装置１の増強形態が示される。第１のフィルタ７及び第２のフィルタ８は並列に構成され、第１のフィルタ７は装置１に直列接続される。図示の例では、第１のフィルタ７は低域通過フィルタとされ、第２のフィルタ８は高域通過フィルタとされるが、これと反対の構成も可能である。合成ユニット９は、好ましくは加算器により構成されるのがよく、第２のフィルタ８及び装置１の出力信号を足し合わせ、その合成出力信号がトランスデューサ２に供給される。
【００３９】
フィルタ７及び８は、好ましくは相補型の通過帯域を有し、その交差点が例えば１００Ｈｚ又は５０Ｈｚとされるのがよい。この態様において、装置１は、当該オーディオ信号の低周波成分に対してのみ動作可能であり、高周波数成分は変わらないままとする。装置１により調整されるオーディオ信号の成分は狭い周波数帯域を有するので、当該調整の精度は向上する。
【００４０】
なお、２つのフィルタに代えて各々が個々の通過帯域を有する複数のフィルタを用いることもできる。本発明の装置１は、少なくとも１つのフィルタと直列に構成可能であるが、それぞれの周波数帯域において振幅調整をなすための２つ以上のフィルタと直列に構成されるのが好ましい。この態様において、複数の周波数帯域は個々に調整可能である。
【００４１】
図４の模範的オーディオシステム５は、音声処理ユニット３と本発明による装置１とを有する。音声処理ユニット３は、増幅器と適切なフィルタ及び／又は等化器とを有することができる。音声処理ユニット３及び装置１の順序は反対にしてもよい。
【００４２】
オーディオシステム５は、システム５の入力端子に結合されるオーディオソース４からオーディオ入力信号を受信する。オーディオソース４は、ＣＤプレーヤ、ＤＶＤプレーヤ、ＭＰ３プレーヤ、ラジオチューナ、コンピュータ、インターネット端末又は同様の音声源により構成可能である。少なくとも１つのトランスデューサ２は、オーディオシステム５の出力端子に接続される。このトランスデューサは、特定の周波数において共振ピークを有する共振トランスデューサとすることができる。
【００４３】
本発明によれば、装置１は、トランスデューサ２の特性を考慮に入れた周波数依存性の音声レベル制御を有する。なお、複数のトランスデューサがオーディオシステム５に接続可能であり、通常はこれらトランスデューサの全てが図２に示されるように「ピークに達する」特性を有するわけではない。高周波数トランスデューサ（「ツィータ」）が、例えばオーディオシステム５に結合されるようにしてもよい。
【００４４】
オーディオシステム５は、例えばホームシネマシステム、ホーム音声（ステレオ）システム、車載音声システム、テレビセット又はパーソナルコンピュータの音声システム（の一部）とすることができる。
【００４５】
コンピュータプログラム製品なる文言は、物理的な実現、例えば、包括的又は特定の目的のプロセッサが、当該プロセッサにコマンドをロードするための一連のローディングステップの後に本発明の特徴的機能を実行することができるコマンドの集まりの製造物品を有するものと理解されたい。特に、コンピュータプログラム製品は、プログラムコード、このプログラムコードから得られるプロセッサ適合型のコード、又はメモリ内に存在し、或いは有線又は無線のネットワーク接続部において一時的に存在する例えばディスク又はその他のプラグイン構成要素のような担体における、このプログラムコードの中間の変換形態、或いは紙面上のプログラムコードとして実現可能である。プログラムコードとは別に、当該プログラムに必要な発明の特性データも、コンピュータプログラム製品として具現化することができる。
【００４６】
本発明は、「ピークのある」特性を有するトランスデューサは大きく変化する音声レベルで種々の周波数の音声を再生することができる、という洞察に基づいている。本発明は、この問題が周波数依存性でかつトランスデューサ依存性の当該音声の増幅により解消できるというさらなる洞察により有益なものとなる。
【００４７】
なお、この書面において用いられるいずれの用語も本発明の範囲を限定するものと解釈してはならない。特に、「有する」、「有し」などの文言は、具体的に述べていない要素を排除することを意味していない。単一の（回路）要素は、複数の（回路）要素又はそれらの等価物によって置き換えることができる。
【００４８】
当業者であれば、本発明は上に示した実施例に限定されるものではなく、添付の請求項において規定されるような本発明の範囲から逸脱することなく多くの変形や追加が行われうることが理解されるところである。
【図面の簡単な説明】
【００４９】
【図１】本発明による装置の好適実施例を概略的に示す図。
【図２】基準トランスデューサ及び共振トランスデューサの周波数特性を概略的に示す図。
【図３】本発明による装置の強調された実施例を概略的に示す図。
【図４】本発明によるオーディオシステムを概略的に示す図。
【図１】
2008507934.tif 000003
【図２】
2008507934.tif 000004
【図３】
2008507934.tif 000005
【図４】
2008507934.tif 000006
【国際調査報告】
2008507934.tif 000007
2008507934.tif 000008